(57)【特許請求の範囲】
【請求項１】
玄米の供給を受けて玄米中の石くずを選別除去する石抜機（５）と、石抜処理された玄米を搗精する精米機（４）と、をそれぞれ連結配置した石抜精米機において、
石抜機（５）と精米機（４）との連結部分に、石抜きされた玄米の流路を二方向に切換可能な切換装置（２３）を備える二股状の分岐流下部（２０）を配設し、該分岐流下部（２０）の一方側を機外に配すると共に、他方側を精米機のホッパー（２８）上に配置してあり、前記分岐流下部（２０）には切換流路のいずれかが満量となっている際に後続の過剰玄米を張込口（６）に還流させるオーバーフロー樋（２７）が設けてあることを特徴とする石抜精米機。
【発明の詳細な説明】
【０００１】
【発明の属する技術分野】
本発明は、玄米の石くずを除去する石抜機と、石抜機で除去した玄米を精白する精米機と、を備えた石抜精米機に関する。
【０００２】
【従来の技術】
従来より、白米を得る場合には、その都度石抜きを行った玄米を精白処理していた。この処理工程としては、石抜機と精米機とを別々の機械を利用して行ったり、あるいは精米機に石抜機が付設しているものを利用して行われており、これらの機械によって石くずが除去された白米が作られていた。したがって玄米は通常、調整出荷の段階では石抜処理がなされていないのが普通であった。
【０００３】
ところで近年、店頭に玄米をそのまま陳列しておき、顧客の要望に応じて玄米をその場で精米する、いわゆる「店頭精米・玄米販売」と称される販売方式が全国の米穀店で増加しており、出荷段階での石抜処理済みの玄米の需要が急増している。
【０００４】
しかしながら、現在市販されている前述の石抜機付き精米機では、白米の需要に対しては容易に対応できるが、石抜処理済みの玄米の需要については応えることができず、そのため、石抜処理済みの玄米の出荷に備えて、玄米出荷専用の石抜機を別に準備していた。したがって、出荷する白米と玄米とにそれぞれ対応して白米用の精米機と玄米用としての石抜機との二種類の機械を予め用意して使い分けしなければならないという煩雑さと共に、二種類の機械を揃えておかなければならないというコスト及び場所的な不経済性があった。
【０００５】
【発明が解決しようとする課題】
そこで本発明は、前記事情に基づいてなされたものであり、一台の機械で所望する白米または石抜処理済みの玄米を簡便に得ることができ、経済性に優れた石抜精米機を提供することを目的とする。
【０００６】
【課題を解決するための手段】
本発明の石抜精米機は、玄米の供給を受けて玄米中の石くずを選別除去する石抜機と、石抜処理された玄米を搗精する精米機と、をそれぞれ連結配置した石抜精米機において、石抜機と精米機との連結部分に、石抜きされた玄米の流路を二方向に切換可能な切換装置を備える二股状の分岐流下部を配設し、該分岐流下部の一方側を機外に配すると共に、他方側を精米機のホッパー上に配置してあり、前記分岐流下部には、切換流路のいずれかが満量となっている際に後続の過剰玄米を張込口に還流させるオーバーフロー樋を設けてあることを特徴とする。
【０００７】
【発明の実施の形態】
以下、本発明の実施形態を図面に基づき具体的に説明する。図１乃至図３は本発明の第１実施形態を示すものである。符号１は石抜精米機であって、この石抜精米機１は底板２に石抜機用架台３と精米機４とを載置固定し、さらに前記架台３に石抜機５を載置したものである。架台３内には玄米投入用の張込口６と張込口ホッパー７とが形成してあり、該ホッパー７は昇降装置８の供給筒９に連通し、さらにホッパー７の下部に玄米を昇降装置８に向かって押し出すスクリュー１０が配設してある。
【０００８】
玄米を揚穀する昇降装置８は、スクリュー１０で押し出される張込口ホッパー７からの玄米を受けるバケット１１を定間隔で取付けた無端ベルト１２が上下の各プリー１３，１４により架け渡されており、図示しない昇降用モータの駆動によりベルト１２と共に玄米の入ったバケット１１が上方へ運ばれ、向きを下方に変える最上部で玄米をバケット１１から投げ出すようになっている。投げ出された玄米は昇降装置の出口１５から石抜機５に供給される。石抜機５は、一方の石抜側を高く他方の玄米排出側を低くして傾斜方向に揺動する選別盤１６と、選別盤１６上方に配置するホッパー１７と、選別盤１６の下方に配置して送風するファン１８と、選別盤１６及びファン１８を駆動させる石抜機モータ１９と、から構成されている。
【０００９】
選別盤１６の玄米排出側には、下方で二股状に分かれる分岐流下部２０が連続しており、その分岐箇所には、二股状に延在する一方側の機外側流下樋２１と他方側の精米側流下樋２２との開閉状態を交互に切換可能な切換装置２３が配設してある。この切換装置２３は、機外側流下樋２１又は精米側流下樋２２のいずれか一方を塞ぐことが可能な切換板２４と、機外側流下樋２１（又は精米側流下樋２２）から精米側流下樋２２（又は機外側流下樋２１）を塞ぐように切換板２４を反転させる切換軸２５と、切換軸２５に連結して機外に突出する操作レバー（図示せず）と、から構成されている。したがって、操作レバーの切換操作により切換軸２５が回動して切換板２４は機外側流下樋２１を塞いで精米側流下樋２２を開き、また操作レバーを逆方向に切換操作すれば、切換軸２５が逆方向へ回動して切換板２４は精米側流下樋２２を塞いで機外側流下樋２１を開く。尚、符号４０，４０は切換板２４による開閉状態を保持するためのストッパーである。
【００１０】
以上より、機外に連通している機外側流下樋２１を利用して、選別盤１６によって選別された石抜処理済みの玄米を機外に取り出すことが可能となっている。また、分岐流下部２０には、該分岐流下部２０内に突出する選別盤の玄米排出部２６の直下箇所に、開口するオーバーフロー用の樋２７を備えており、このオーバーフロー樋２７の下端は玄米を投入する前記張込口６に配置され、分岐流下部２０内が玄米排出部２６からの玄米で満杯となった場合、オーバーフロー樋２７によって後続玄米を再び張込口６へ環流できるようになっている。
【００１１】
一方、精米側流下樋２２の出口は精米機用のホッパー２８の上方位置に配置され、石抜処理済みの玄米が精白室３０内に供給できるようになっている。なお、前記ホッパー２８の下端位置には玄米検出センサー２９が設けてあり、該ホッパー２８の下端には精白室３０への通路を開閉する供給シャッター３１が設けてある。
【００１２】
精米機４は精白室３０内に搗精ロール３２を内装するもので、この際の糠は除糠スクリーン３３から吸引ファン３４によって分離糠として図示しない糠処理部へ送られる。搗精ロール３２はメインモータ３５で、また吸引ファン３４はファンモータ３６で、それぞれ駆動する。精白室３０の出口側には、抵抗板３７を有しており、該抵抗板３７による圧力調整は抵抗板３７を押圧しているバネ圧を調節することによって可能となっており、このバネ圧を調節する精白度ダイヤル３８を回すことによって白度を段階的に設定できるようになっている。符号３９は精白室３０の出口側に設けた白米取出用の樋である。
【００１３】
次に、上記構成される石抜精米機１の操作・動作手順について説明する。
まず、利用者は石抜済みの玄米を必要としているか、また石抜済みの白米を必要としているか、により切換装置２３の切換方向を選択する。次いで、張込口６に玄米を投入した後、操作盤の運転スイッチをＯＮにより、スクリュー１０、昇降装置８及び石抜機モータ１９は動き始め、石抜機５が運転を開始する。この時点では精米機４のメインモータ３５及びファンモータ３６はまだ動いていない。
【００１４】
張込口６から投入される玄米は、スクリュー１０の回転に伴って昇降装置８の下部入口に向かって定量づつ連続的に送られる。昇降装置８内に流入した玄米は、バケット１１に揚穀されながら昇降装置の出口１５から石抜機のホッパー１７へ供給される。該ホッパー１７から選別盤１６上に供給される玄米は石抜作用を受け、玄米と石くずに分離される。
【００１５】
このようにして石抜き選別後の玄米は、分岐流下部２０に流れて切換装置２３に達するが、切換板２４の切換方向を精米側流下樋２２が開かれるように操作すれば、精米機のホッパー２８へと上記玄米が流れ込む。そして、前記ホッパー２８内の玄米検出センサー２９が玄米で覆われると、センサー２９からの玄米検知信号を受けてＴ時間遅れで精米機のメインモータ３５とファンモータ３６が回転し、精米機４の運転が開始される。尚、前記Ｔ時間は、精米開始直後に精米機ホッパー２８内の玄米不足を防止するために設けたもので、該ホッパー２８内にある一定量以上を溜めてから精米機４が運転されるように設定したものである。
【００１６】
精米機４が運転を開始すれば、供給シャッター３１が開かれ、搗精ロール３２により玄米は精白作用を受け、白米となって白米取出用の樋３９から機外へ排出される。ところで、この際、石抜機５からの供給玄米量よりも精米機４での精米処理量が少ない場合、例えば、精米機の供給シャッター３１を全開にしないで半開きの状態で運転した時などは、精米機ホッパー２８内の玄米が満杯となり、さらに切換装置２３を備えた分岐流下部２０内も満杯となってくる。そして、石抜機５からの後続玄米を中断せず引き続いて供給すると、オーバーフロー樋２７の開口箇所に達するので、さらに過剰に供給される後続玄米はオーバーフロー樋２７を通り再び張込口６へと環流する。このように環流システムを採ることにより、石抜機５、昇降装置８及び張込口のスクリュー１０の米づまりが未然に防止され、スムーズな運転が確保される。
【００１７】
一方、切換板２４の切換方向を機外側流下樋２１が開かれるように操作すれば、石抜機５から分岐流下部２０に供給される石抜処理済みの玄米は切換装置２３によって機外側流下樋２１を通って機外に排出され、例えば予め準備してある袋内に収容される。尚、この際には、前記玄米は精米機ホッパー２８に供給されないので玄米検出センサー２９は作動せず、したがって精米機のメインモータ３５及びファンモータ３６は動くことなく、この間はスクリュー１０、昇降装置８及び石抜機５の運転だけとなる。また、前記精米時の場合と同様に、機外側流下樋２１に玄米が満量となり、後続玄米がオーバーフロー樋２７の開口箇所を越えた時には、オーバーフロー樋２７から張込口６へと後続過剰米が環流する。
【００１８】
図４は本発明の第２実施形態を示すもので、前述の第１実施形態と相違するところは、張込口６が石抜機ホッパー１７に玄米を直接に投入する方式になっていること、また、石抜機５で石抜きされた玄米を直接に昇降装置８で揚穀することになっていること、さらに昇降装置の出口１５に下方側が二股に分かれる分岐流下部２０を連設してあること、である。そして、前記分岐流下部２０の分岐箇所には切換装置２３を設け、切換装置２３によって開閉可能な一方の機外側流下樋２１は機外と連通しており、また他方の精米側流下樋２２は精米機４のホッパー２８の上方位置に配置されている。分岐流下部２０における切換装置２３の上部箇所には、分岐流下部２０から連通するオーバーフロー用の樋２７が設けてあり、このオーバーフロー樋２７の下端は石抜機ホッパー１７の上方に配置してオーバーフローの玄米を再び石抜機ホッパー１７に投入できるようになっている。
【００１９】
【発明の効果】
本発明による石抜精米機によれば、石抜機と精米機との中間部に、石抜きされた玄米の流下方向を変更可能な切換装置を備えた分岐流下部を配設し、切換操作によって機外側あるいは精米ホッパー側に自在に切換え得るので、一台の機械で利用用途に合わせて簡便に石抜処理済みの玄米用と白米用とに使い分けでき、操作性の良いこととも相まって設備費も安価で且つ設置スペースの効率化にも役立つと共に、前記分岐流下部にオーバーフロー用の樋を設けることにより、石抜精米機の運転を支障なくスムーズに行うことができる。
【図面の簡単な説明】
【図１】本発明の第１実施形態を示す概略説明図である。
【図２】要部を示す概略説明図である。
【図３】精米機の切欠断面図である。
【図４】本発明の第２実施形態を示す概略説明図である。
【符号の説明】
４  精米機
５  石抜機
６  張込口
２０  分岐流下部
２３  切換装置
２７  オーバーフロー樋
２８  精米機のホッパー
【図１】
0003698849.tif 000002
【図２】
0003698849.tif 000003
【図３】
0003698849.tif 000004
【図４】
0003698849.tif 000005